(57)【要約】      （修正有）【課題】複数の液体収容部に対してそれぞれ液体を注入しやすく、外側収容部における飾りのデザインを繰り返し楽しむことができる、使い勝手の良いディスペンサー容器を提供する。【解決手段】容器本体１０とディスペンサー３０とを備えたディスペンサー容器１であって、容器本体１０は、容器本体１０の底面部１１から立設されてなる外壁１２と、外壁１２の内側において底面部１１から立設されてなる内壁１３と、を有することにより、内壁１３の内側に形成され上方が開口した第１収容部１５と、外壁１２と内壁１３との間に形成され上方が開口した第２収容部１６と、を有する。【選択図】図１
0003224232.tif 000002
【実用新案登録請求の範囲】
【請求項１】
容器本体とディスペンサーとを備えたディスペンサー容器であって、
前記容器本体は、前記容器本体の底面部から立設されてなる外壁と、前記外壁の内側において前記底面部から立設されてなる内壁と、を有することにより、前記内壁の内側に形成され上方が開口した第１収容部と、前記外壁と前記内壁との間に形成され上方が開口した第２収容部と、を有すること
を特徴とするディスペンサー容器。
【請求項２】
前記容器本体は、前記底面部、前記外壁、及び、前記内壁が透明素材によって一体的に形成されていることを特徴とする請求項１に記載のディスペンサー容器。
【請求項３】
前記第２収容部を閉塞するとともに、前記ディスペンサーを前記第１収容部に対して保持する蓋体を備えることを特徴とする請求項１又は請求項２に記載のディスペンサー容器。
【請求項４】
前記蓋体は、前記外壁の上端部の全周に対して密着し、かつ、前記内壁の上端部の全周に対して密着することを特徴とする請求項３に記載のディスペンサー容器。
【請求項５】
前記蓋体は、前記外壁の上端部の外周面に対してネジ式で締結することを特徴とする請求項３に記載のディスペンサー容器。
【考案の詳細な説明】
【技術分野】
【０００１】
本考案は、液体を収容及び吐出可能なディスペンサー容器に関し、特に、容器本体に複数の収容部を備えるディスペンサー容器に関する。
【背景技術】
【０００２】
例えばシャンプー、リンス、又は、液体ボディーソープなどの液体を収容して所定量ずつ吐出するためのディスペンサー容器は、一般的に、液体を収容する容器本体と、液体を吐出するためのディスペンサーと、容器本体とディスペンサーとを固定して容器本体を閉塞する蓋体とを有するものが知られている。
【０００３】
近年では、容器本体が、内側収容部と、内側収容部の外側に形成された外側収容部とを有する、二重構造のディスペンサー容器が提案されている。その一例として、非特許文献１や非特許文献２には、略筒状の外壁と、外壁の内側上部にて連結された略コップ状でなる内側収容部とを有し、外壁の下面側の開口部を別部材である底板で閉塞してなる構成のディスペンサー容器が記載されている。これらのディスペンサー容器によれば、内側収容部にはシャンプーなどの液体を収容し、外側収容部には飾りである花材（ドライフラワーや造花など）と共にハーバリウムオイルを入れて用いることができる。
【先行技術文献】
【非特許文献】
【０００４】
【非特許文献１】“ハーバリウム用ソープディスペンサー”、［online］、［令和１年８月２９日検索］、インターネット＜ＵＲＬ：https://item.rakuten.co.jp/asahi-ts/setting0187-1/＞
【非特許文献２】“ハーバリウム３ｗａｙディスペンサー”、［online］、［令和１年８月２９日検索］、インターネット＜ＵＲＬ：https://www.hanadonya.com/product/163-00001.html＞
【考案の概要】
【考案が解決しようとする課題】
【０００５】
しかしながら、非特許文献１や非特許文献２に示す従来のディスペンサー容器によると、以下のような問題点があった。
【０００６】
非特許文献１や非特許文献２に示す従来のディスペンサー容器は、（１）容器本体を逆さまにした状態で、飾りである花材及びオイルを容器本体の外側収容部に対して入れ、（２）外壁の下面側の開口を閉塞するために底板を接着材により貼り付けて、（３）吐出される液体（シャンプー等）を容器本体の上側から内側収容部に対して入れる必要があった。このため、従来のディスペンサー容器は、底板による外側収容部の閉塞が完了するまで、内側収容部に液体収容物を入れることができず、使用を開始することができるようになるまでに手間と時間とを要する構造であった。
【０００７】
また、従来のディスペンサー容器は、容器本体の外壁の下面側の開口を閉塞するために底板を接着材により貼り付けて封止する構成であったため、外側収容部に収容した花材及びオイルの入れ替えができず、外側収容部における飾りのデザインは変更することができないものであった。
【０００８】
更に、従来のディスペンサー容器は、外側収容部には容器本体の下側から液体を注入し、内側収容部には容器本体の上側から液体を注入するという煩雑さが伴うものであった。
【０００９】
本考案は以上の問題点に鑑みてなされたものであり、本考案の目的とするところは、複数の液体収容部に対してそれぞれ液体を注入しやすく、外側収容部における飾りのデザインを繰り返し楽しむことができる、使い勝手の良いディスペンサー容器を提供することを目的とする。
【課題を解決するための手段】
【００１０】
上記の目的を達成するために、本考案に係るディスペンサー容器は、容器本体とディスペンサーとを備えたディスペンサー容器であって、前記容器本体は、前記容器本体の底面部から立設されてなる外壁と、前記外壁の内側において前記底面部から立設されてなる内壁と、を有することにより、前記内壁の内側に形成され上方が開口した第１収容部と、前記外壁と前記内壁との間に形成され上方が開口した第２収容部と、を有することを特徴とする。
【００１１】
また、本考案に係るディスペンサー容器の前記容器本体は、前記底面部、前記外壁、及び、前記内壁が透明素材によって一体的に形成されていることを特徴とする。
【００１２】
また、本考案に係るディスペンサー容器は、前記第２収容部を閉塞するとともに、前記ディスペンサーを前記第１収容部に対して保持する蓋体を備えることを特徴とする。
【００１３】
また、本考案に係るディスペンサー容器の前記蓋体は、前記外壁の上端部の全周に対して密着し、かつ、前記内壁の上端部の全周に対して密着することを特徴とする。
【００１４】
また、本考案に係るディスペンサー容器の前記蓋体は、前記外壁の上端部の外周面に対してネジ式で締結することを特徴とする。
【考案の効果】
【００１５】
本考案に係るディスペンサー容器によれば、吐出される液体（シャンプー等）を収容する第１収容部、及び、花材（ドライフラワーや造花など）やハーバリウムオイルを収容する第２収容部のそれぞれの開口がともに上方に位置するため、いずれの収容部にもそれぞれ液体を注入しやすく、使い勝手が向上する。また、本考案に係るディスペンサー容器によれば、第２収容部は、従来のように底板を接着剤により固着して閉塞する必要がないため、飾りのデザインを容易に変更でき、繰り返し楽しむことができる。
【図面の簡単な説明】
【００１６】
【図１】本考案の実施形態に係るディスペンサー容器を模式的に示す分解側面図である。
【図２】本考案の実施形態に係るディスペンサー容器の容器本体を模式的に示す断面図であり、（ａ）は図１のＡ−Ａ線断面図、（ｂ）は図１のＢ−Ｂ線断面図である。
【図３】本考案の実施形態に係るディスペンサー容器の蓋体を模式的に示す図１のＣ−Ｃ線断面図である。
【図４】本考案の実施形態に係るディスペンサー容器の第１変形例乃至第３変形例を示す図であり、（ａ）は第１変形例に係る容器本体の断面図、（ｂ）は第２変形例に係る容器本体の断面図、（ｃ）は第３変形例に係る容器本体の断面図である。
【図５】本考案の実施形態に係るディスペンサー容器の第４変形例乃至第７変形例を示す図であり、（ａ）は第４変形例に係る容器本体の断面図、（ｂ）は第５変形例に係る容器本体の断面図、（ｃ）は第６変形例に係る容器本体の断面図、（ｄ）は第７変形例に係る容器本体の断面図である。
【考案を実施するための形態】
【００１７】
図１乃至図３を参照して、本考案の実施形態に係るディスペンサー容器について説明する。図１は、本考案の実施形態に係るディスペンサー容器を模式的に示す分解側面図、図２は、本考案の実施形態に係るディスペンサー容器の容器本体を模式的に示す断面図であり、（ａ）は図１のＡ−Ａ線断面図、（ｂ）は図１のＢ−Ｂ線断面図、図３は、本考案の実施形態に係るディスペンサー容器の蓋体を模式的に示す図１のＣ−Ｃ線断面図である。
【００１８】
本考案に係るディスペンサー容器は、複数の収容部として少なくとも第１収容部と第２収容部とを有する容器本体を備えるものである。これらの第１収容部及び第２収容部はともに上方が開口しているため、各収容部へ液体を注入しやすく、使い勝手を向上させることができ、また、第２収容部は従来のように底板を接着剤により固着させる必要がないため飾りのデザインを容易に変更でき、繰り返し楽しむことができるものである。
【００１９】
図１に示すように、本考案の実施形態に係るディスペンサー容器１は、容器本体１０と、蓋体２０と、ディスペンサー３０とを備える。
【００２０】
図１及び図２に示すように、容器本体１０は、一例として全体が有底円筒形状に形成される。容器本体１０は、底面部１１から立設されてなる円筒形状の外壁１２と、外壁１２の内側において底面部１１から立設されてなる円筒形状の内壁１３と、を有する。図２（ｂ）に示すように、外壁１２と内壁１３とは同心（同軸）となるように配置されている。
【００２１】
容器本体１０は、底面部１１、外壁１２、及び、内壁１３が透明素材によって一体的に形成されている。容器本体１０の材質は特に限定されないが、一例として、ポリスチレン（ＰＳ）樹脂やアクリル樹脂などの透明樹脂を用いて一体成形するのが好適である。
【００２２】
図１及び図２に示すように、容器本体１０は、内壁１３の内側に円柱形状に形成されかつ上方が開口した第１収容部１５と、外壁１２と内壁１３との間に円筒形状に形成されかつ上方が開口した第２収容部１６と、を有する。
【００２３】
このように、ディスペンサー容器１は、第１収容部１５及び第２収容部１６という少なくとも２つの収容部を備えるため、それぞれの収容部に目的の異なる液体等を注入して用いることができる。例えば、ディスペンサー容器１の第１収容部１５には、ディスペンサー３０により吐出されるシャンプー等の液体を入れ、第２収容部１６には、花材（ドライフラワーや造花など）と共にハーバリウムオイルを入れることができる。容器本体１０は、上記の通り透明素材によって構成することにより、第２収容部１６に収容された花材等により装飾効果が発揮され、見た目が華やかな使用者オリジナルのシャンプーボトルとして用いることができる。
【００２４】
外壁１２の上端部１２ａ及び内壁１３の上端部１３ａは、その高さが同一になるように構成される。このように構成することにより、第２収容部１６の収容物が第１収容部１５の収容物に混入することを防止することができる。尚、後述する図４（ｃ）に示すように、内壁１３の上端部１３ａは、外壁１２の上端部１２ａよりも高くなるように構成してもよい。このように構成することにより、前述の混入を一層防止することができる。
【００２５】
図１及び図２（ａ）に示すように、外壁１２の上端部１２ａの近傍の外周面には、蓋体２０と締結可能な締結部１２ｂが形成されている。一例として、容器本体１０の締結部１２ｂと、蓋体２０の締結部２３ａ（図３参照）とをネジ式で締結可能とし、容器本体１０と蓋体２０とを着脱自在に構成するのが好適である。
【００２６】
このように容器本体１０と蓋体２０とを着脱自在に構成したので、従来のように底板を接着剤により固着させることで外側収容部（第２収容部１６）を閉塞する必要がなく、そのため第２収容部１６の収容物の配置変更や入れ替えを行って異なる装飾デザインへ容易に変更でき、繰り返し楽しむことができる。特に、容器本体１０の締結部１２ｂと蓋体２０の締結部２３ａとをネジ式で締結可能とすることで、接着剤を用いることなく第２収容部１６を密閉することができ、繰り返し自由に開閉することができる。
【００２７】
図１及び図３に示すように、蓋体２０は、容器本体１０の第２収容部１６を閉塞する閉塞部２１と、ディスペンサー３０を容器本体１０の第１収容部１５に対して保持する保持部２２と、閉塞部２１の周囲から下方に延びる側壁２３と、を有する。
【００２８】
蓋体２０は、閉塞部２１、保持部２２、及び、側壁２３が一体的に形成されている。蓋体２０の材質は特に限定されないが、一例としてＡＢＳ樹脂などの樹脂素材を用いて一体成形することができる。
【００２９】
閉塞部２１は、容器本体１０の外壁上端部１２ａ及び内壁上端部１３ａと当接可能であり、第２収容部１６を閉塞するようになっている。より好ましくは、図３に示すように、閉塞部２１は、容器本体１０の内壁上端部１３ａの全周に対して密着可能な環状の第１パッキング２１ａと、容器本体１０の外壁上端部１２ａの全周に対して密着可能な環状の第２パッキング２１ｂとを備える構成とする。
【００３０】
このように構成することにより、第２収容部１６の収容物（花材やハーバリウムオイル等）が確実に密閉されるため、第１収容部１５の収容物（シャンプー等）との混ざり合いを防止することができる。
【００３１】
図１及び図３に示すように、側壁２３の内周面には、容器本体１０と締結可能な締結部２３ａが形成されている。一例として、蓋体２０の締結部２３ａと容器本体１０の締結部１２ｂ（図１、図２（ａ）参照）とをネジ式で締結可能とし、蓋体２０と容器本体１０とを着脱自在に構成するのが好適である。
【００３２】
図３に示すように、保持部２２は、ディスペンサー３０の吸上管３４（図１参照）を外側（上側）から挿入可能であって、第１収容部１５に通じる連通口２２ａを有する。
【００３３】
図１及び図３に示すように、保持部２２の外周面には、ディスペンサー３０のポンプキャップ３２と締結可能な締結部２２ｂが形成されている。一例として、蓋体２０の締結部２２ｂと、ポンプキャップ３２の締結部（不図示）とをネジ式で締結可能とし、蓋体２０とディスペンサー３０とを着脱自在に構成するのが好適である。
【００３４】
蓋体２０を上記のように構成することにより、容器本体１０の第２収容部１６に上方の開口から花材やハーバリウムオイル等入れた後、蓋体２０を容器本体１０に締結するだけで第２収容部１６が確実かつ容易に閉塞され、これに続いてそのまま、蓋体２０の連通口２２ａを通じて第１収容部１５に対してシャンプー等を入れることが可能である。即ち、ディスペンサー容器１によれば、従来のディスペンサー容器のように、外側収容部に花材やハーバリウムオイル等を入れるために容器本体を一度逆さまにすることや、底板を接着して接着剤が確実に乾くまでシャンプー等を内側収容部に入れることができない、といった不便が解消される。また、ディスペンサー容器１によれば、従来のディスペンサー容器のように、外側収容部に花材やハーバリウムオイル等を入れるときは容器本体の下側から入れ、内側収容部にシャンプー等を入れるときは容器本体の上側から入れる、という煩雑な使用方法を採る必要がなく、使い勝手が向上する。
【００３５】
図１に示すように、ディスペンサー３０は、容器本体１０の第１収容部１５の内部に一端が挿入されて収容物を吸い上げる吸上管３４と、吸上管３４の他端に連通して貯留した所定量の液体を送出するポンプ機構部（不図示）を収容したポンプキャップ３２と、ポンプ機構部に連通してポンプ機構部から送出される液体を外部に吐出するノズル３５と、押し下げることによりポンプ機構部を動作させる押圧ヘッド３３と、を有する。
【００３６】
なお、ポンプキャップ３２の内面には、蓋体２０の締結部２２ｂと締結可能な締結部（不図示）を有する。本考案に係るディスペンサー３０は、一般的な周知のディスペンサーであればよいため、詳細な説明は省略する。
【００３７】
＜変形例＞
次に、本考案の本実施形態に係るディスペンサー容器１の変形例について説明する。以下の変形例はいずれも、本考案に係るディスペンサー容器１の容器本体１０についての変形例である。以下に説明する本実施形態の変形例において、上記実施形態と同様の構成については同一の符号を付して詳細な説明は省略する。
【００３８】
本考案の本実施形態に係る第１変形例乃至第７変形例であるディスペンサー容器について、図４及び図５を参照して説明する。図４は、本考案の実施形態に係るディスペンサー容器の第１変形例乃至第３変形例を示す図であり、（ａ）は第１変形例に係る容器本体の断面図、（ｂ）は第２変形例に係る容器本体の断面図、（ｃ）は第３変形例に係る容器本体の断面図、図５は、本考案の実施形態に係るディスペンサー容器の第４変形例乃至第７変形例を示す図であり、（ａ）は第４変形例に係る容器本体の断面図、（ｂ）は第５変形例に係る容器本体の断面図、（ｃ）は第６変形例に係る容器本体の断面図、（ｄ）は第７変形例に係る容器本体の断面図である。
【００３９】
第１変形例では、図４（ａ）に示すように、容器本体１０の底面部１１が、第１収容部１５に係る第１底面部１１ａと、第２収容部１６に係る第２底面部１１ｂとからなり、第１底面部１１ａが第２底面部１１ｂよりも高く設定されているものである。
【００４０】
第２変形例では、図４（ｂ）に示すように、容器本体１０の底面部１１が、第１収容部１５に係る第１底面部１１ａと、第２収容部１６に係る第２底面部１１ｂとからなり、第１底面部１１ａが第２底面部１１ｂよりも低く設定されているものである。第２底面部１１ｂの下面側には、環状の支持体１８が装着される。支持体１８の高さは、第１底面部１１ａと第２底面部１１ｂとの高低差以上に設定されており、滑り止め効果のために摩擦係数の高い材質（例えばゴム材）によって形成されることが好ましい。
【００４１】
第３変形例では、図４（ｃ）に示すように、容器本体１０の内壁上端部１３ａが、外壁上端部１２ａよりも高く構成されている。これにより、第２収容部１６に対して花材やハーバリウムオイル等を入れる際などにおいて、第１収容部１５への混入を防止することができる。なお、第３変形例に係る容器本体１０に対して取り付ける蓋体２０は、高さの異なる外壁上端部１２ａ及び内壁上端部１３ａのそれぞれに当接乃至密着可能な閉塞部を備える構成とする。
【００４２】
上記実施形態に係る容器本体１０は、外壁１２及び内壁１３がともに円筒形状で構成される例を説明したが、本考案に係るディスペンサー容器１の容器本体１０の形状は特に限定されない。例えば、図５（ａ）に示す第４変形例のように、容器本体１０の外壁１２及び内壁１３がともに同心の楕円筒型形状に構成されるものであってもよい。また、図５（ｂ）に示す第５変形例のように、容器本体１０の外壁１２が円筒形状、内壁１３が角柱筒型形状に構成されるものであってもよいし、反対に、図５（ｃ）に示す第６変形例のように、容器本体１０の外壁１２が角柱筒型形状、内壁１３が円筒形状に構成されるものであってもよい。更に、図５（ｄ）に示す第７変形例のように、容器本体１０の外壁１２及び内壁１３ともに角柱筒型形状に構成されるものであってもよい。
【００４３】
ここで、図５（ａ）〜（ｄ）における容器本体１０の外壁１２の上端部分には、図１に示した形状の締結部１２ｂが形成されている。つまり、図５（ａ）〜（ｄ）における容器本体１０は、外壁１２の上端部１２ａの近傍の外周面に、図１に示した蓋体２０と締結可能な締結部１２ｂを備え、それよりも下の部分に、前述の楕円筒型形状等の外壁１２及び内壁１３を備えている。
【００４４】
また、上記で説明した実施形態及び変形例においては、外壁１２及び内壁１３が同心（同軸）に配置されるものであったが、偏心して配置されてもよい。更に、上記の実施形態や変形例を適宜組み合わせたものとしてもよい。また、本考案に係るディスペンサー容器１の容器本体１０は、第２収容部１６の更に外側に第３収容部（不図示）を有する構成としてもよい。
【００４５】
本考案について上記実施形態を参照しつつ説明したが、本考案は上記実施形態に限定されるものではなく、改良の目的または本考案の思想の範囲内において改良または変更が可能である。
【符号の説明】
【００４６】
１      ディスペンサー容器
１０      容器本体
１１      底面部
１２      外壁
１２ａ    外壁上端部
１２ｂ    締結部
１３      内壁
１３ａ    内壁上端部
１５      第１収容部
１６      第２収容部
１８      支持体
２０      蓋体
２１      閉塞部
２１ａ    第１パッキング
２１ｂ    第２パッキング
２２      保持部
２２ａ    連通口
２２ｂ    締結部
２３      側壁
２３ａ    締結部
３０      ディスペンサー
３２      ポンプキャップ
３３      押圧ヘッド
３４      吸上管
３５      ノズル
【図１】
0003224232.tif 000003
【図２】
0003224232.tif 000004
【図３】
0003224232.tif 000005
【図４】
0003224232.tif 000006
【図５】
0003224232.tif 000007